(57)【要約】【課題】  入賞装置に新規な趣向を付与する。【解決手段】  入賞装置２には上球通路２３を通過する入賞球を特定領域３５へ向けて誘導し易い外側位置と誘導し難い内側位置とへ移動制御される可動キャラクタ部材５３と、特定領域入口３７とその先方の特定球通路２０とを橋渡しする橋渡し位置を通過するように左右方向へ移動制御される可動停留部材７０とを設置し、図柄表示体８０の表示図柄が特定の図柄となった場合に可動キャラクタ部材５３と可動停留部材７０の動きを切換える。【選択図】  図４
2004167289.tif 000002
【特許請求の範囲】
【請求項１】
大入賞口と特定領域とを備えた入賞装置内には内外方向へ移動制御され、入賞装置内の上部に形成された上球通路を通過する入賞球の転動経路を変更させる可動部材と、特定領域の入口とその先方に形成された特定球通路との間に左右方向に沿って形成された入賞球排出溝内に装入され、特定領域の入口と前記特定球通路とを橋渡しする橋渡し位置で静止し若しくは前記橋渡し位置を通過するように左右方向へ移動制御される可動停留部材と、前記可動部材および前記可動停留部材の作動態様を切換える図柄を含む図柄群を変動表示して図柄を特定する図柄表示体とを組込んだことを特徴とするパチンコ機。
【発明の詳細な説明】
【技術分野】
【０００１】
この発明はパチンコ機に関する。
【背景技術】
【０００２】
大入賞口と特定領域とを備えたパチンコ機の入賞装置には大入賞口を通り抜けた入賞球を特定領域へ導入する難易度を設定する種々の機構が組込まれている。
【発明の開示】
【発明が解決しようとする課題】
【０００３】
本発明はパチンコ機において、入賞球が特定領域を通過する難易度の設定に関して新規な趣向を有する入賞装置を提供することを課題とするものである。
【課題を解決するための手段】
【０００４】
本発明のパチンコ機は、大入賞口と特定領域とを備えた入賞装置内には内外方向へ移動制御され、入賞装置内の上部に形成された上球通路を通過する入賞球の転動経路を変更させる可動部材と、特定領域の入口とその先方に形成された特定球通路との間に左右方向に沿って形成された入賞球排出溝内に装入され、特定領域の入口と前記特定球通路とを橋渡しする橋渡し位置で静止し若しくは前記橋渡し位置を通過するように左右方向へ移動制御される可動停留部材と、可動部材および前記可動停留部材の作動態様を切換える図柄を含む図柄群を変動表示して図柄を特定する図柄表示体とを組込んだ構成を有する。
【０００５】
（作用）入賞装置内の上部に設置され左右方向へ移動制御される可動部材の動きによって大入賞口を通って上球通路へ落入した入賞球の転動経路が変化し、特定領域の入口と特定球通路との間に左右方向に沿って形成された入賞球排出口内に装入された可動停留部材が左右方向へ移動する途中で特定領域の入口とその先方の特定球通路とを橋渡しする橋渡し位置へ移動すると、前記可動停留部材上での入賞球の停留が可能な状況が出現し、特定領域への入賞球の導入が可能となる。また、図柄群を変動表示する図柄表体が特定した図柄によって前記可動部材および前記可動停留部材の動きが切換えられる。
【発明の効果】
【０００６】
本発明は前記したように構成してあるので、可動部材の動きによって入賞球が有利な位置へ導入され易い状況と導入され難い状況とを出現させ、可動部材の動きを切換えることによって入賞球が有利な位置に導入される難易度を変更することができる。また、可動停留部材の動きによって特定領域への入賞球の導入が可能な状況と不能な状況とを出現させ、可動停留部材の動きを切換えることによって入賞球が特定領域を通過する難易度を変更することができる。さらに、可動部材の動きと、可動停留部材の動きとの組合わせによって入賞装置内での入賞球の通過態様を相乗的に多様化させることができる。従って、入賞装置に対して新規な趣向を付与して遊技者の興趣を引起こすことができる。
【実施例】
【０００７】
次に、本発明の１実施例を図面にしたがって説明する。パチンコ機の遊技盤１において、遊技盤面１ａの中央部には入賞装置２が取付けられ、入賞装置２の左方および右方には左右入賞口４ａを有する固定式役物４がそれぞれ設置され、入賞装置２の下方には左右の入賞始動口５ａおよび左右の始動口入賞検出スイッチ５ｂと有する左右始動装置５と、中入賞始動口６ａおよび中始動口入賞検出スイッチ４６ｂとを有する中始動装置６とが設置され、入賞装置２の斜め下方には左右の下入賞口７ａを有する左右のチューリップ式役物７が設置されている。
【０００８】
入賞装置２において、遊技盤面１ａにビス着されて開口部が開設されたベース枠１０には遊技盤面１ａに添接された前板部１１と、この前板部１１の開口縁に連接されて後方へ突出された後枠部１２とが形成されている。
【０００９】
ベース枠１０の前板部１１の上端には天入賞口１３が開口されるとともに、前板部１１の上下方向の中央部付近には前方へ垂立状態で突出された左右１対の仕切り板１４が連接され、後枠部１２の上端には天入賞口１３を通り抜けたパチンコ球を後方へ誘導する上樋片１２ａが形成されている。
【００１０】
ベース枠１０の前板部１１の前面上端には天入賞口１３の前方に垂立された前板１５ａと、この前板１５ａの後面に連接された樋片１５ｂとを有する上球受け部材１５がビス着され、樋片１５ｂの上面には内方へ下傾した左右誘導面１５ｃと後方へ下傾した中誘導面１５ｄとが形成され、この各誘導面１５ｃ，１５ｄ上へ転落したパチンコ球は天入賞口１３内へ導入される。
【００１１】
上球受け部材１５の左右端部の下端縁と両仕切り板１４の上端縁との間には入賞球が通り抜ける大入賞口１６がそれぞれ開設されている。
【００１２】
ベース枠１０の前板部１１の前面下端には前板部１１の前方に垂立された前板１８ａと、この前板１８ａの後面にその両側縁および下端縁にわたって連接された壁部１８ｂとを有する収納部材１８がビス着されている。
【００１３】
ベース枠１０の下端には収納部材１８の前板１８ａ上に垂立された前仕切り板１９ａと、この前仕切り板１９ａの下端縁に連接されて後下り状に傾斜して後方へ延出された誘導板１９ｂと、この誘導板１９ｂの後端縁に連接されて垂下されたカバー板１９ｃとを有し、ベース枠１０内の下端に設置されて収納部材１８の上面および後面を覆蓋する球誘導部材１９が取付けられている。
【００１４】
球誘導部材１９の誘導板１９ｂの左右方向中央部にはパチンコ球の外径とほぼ等しい横幅を有する誘導突片１９ｄが突出形成され、この誘導突片１９ｄの上面には断面形状が凹円弧状で誘導板１９ｂの傾斜角度より緩やかな傾斜角度で後下り状に傾斜した球誘導面１９ｅが形成され、この球誘導面１９ｅ上にはこの球誘導面１９ｅ上の前端へ転落した入賞球を後方へ通行させる特定球通路２０が形成されている。球誘導面１９ｅの後端縁は誘導板１９の後端縁より上方位置に配設されている。
【００１５】
ベース枠１０内の上下方向中央部付近には大入賞口１６を通り抜けた入賞球を受け止める棚板２２が、その前端部および後端部がベース枠１０の前方および後方へ突出されて全体が後下り状に傾斜した状態で設置され、この棚板２２上には大入賞口１６を通り抜けた入賞球が通行する上球通路２３が形成されている。
【００１６】
棚板２２の両側縁にはベース枠１０の後枠部１２に係止された側片２２ａが形成され、棚板２２の上面の中央部には中央部および前部が鋭角三角形台状に形成されて後部が円形台状で後部の上面が後下り状に形成された障害片２２ｂが突設され、棚板２２の左右端部には左右１対の落下孔２２ｃがそれぞれ棚板２２の後端から中央部付近にわたって左右対称状に貫設され、棚板２２の上面の後端部には障害片２２ｂの両側を転動する入賞球を棚板２２の後端縁の中央部へ誘導する左右１対の誘導片が若干突設されている。
【００１７】
ベース枠１０に結合されてベース枠１０の後側に設置された後ケース２５には左右１対の側壁板２６と、この両壁板２６の上端縁に連接された上壁板２７と、ベース枠１０の後枠部１２に突合わせ状に対接されて両側壁板２６および上壁板２７の各後端縁にそれぞれ連接された後壁板２８とが形成されている。
【００１８】
後壁板２８の前面下部の左右方向中央部にはパチンコ球１個分以上の間隙を隔てて前方へ垂立状態で並行状に突出された左右１対の路壁片２９と、この両路壁片２９の若干下方に設置された角筒状のスイッチ取付け片３８とが連接されている。
【００１９】
後ケース２５の下端には両側壁板２６間の下端に挟み込まれた底板３９が取付けられ、この底板３９の左右方向中央部には入賞球を前方へ誘導する樋部３９ａが形成されている。
【００２０】
後ケース２５の下端には後壁板２８の下端の後方に垂立された横長状のガイド部材６８が取付けられ、このガイド部材６８には左右方向へ延長されたガイド孔６８ａが貫設されている。
【００２１】
後ケース２５内には後方開放の箱形状で城郭を模擬した形状を有し、後壁板２８にビス着された固定キャラクタ部材３０が後ケース２５内の上端付近から下端付近にわたって装入されている。
【００２２】
固定キャラクタ部材３０の前部で上下方向の中央部付近には前下り状態で円弧状に湾曲した屋根状の形状を有し、前端付近がベース枠１０内に突入された前誘導部３０ａが形成されている。
【００２３】
固定キャラクタ部材３０の前部で上下方向の中央部には城郭の屋根を模擬した形状を有し、中央部から両側方へ下傾する１対の斜面３１ｃが上面の左右部に形成されて左右方向の中央部に前下り状の中球通路３２が貫設され、前誘導部３０ａ上に載置された振り分け部３０ｂが形成され、この振り分け部３０ｂの横幅は前誘導部３０ａの横幅より短縮されている。
【００２４】
固定キャラクタ部材３０の後部で上下方向の中央部付近には縦長の角筒状で上部に棚板２２上の上球通路２３に連通された球通し口３４が開口されて下部が振り分け部３０ｂの球通路３２に連通された後誘導部３０ｄが形成されている。
【００２５】
棚板２２上の中央部から転落した入賞球は球通し口３４を通り抜けて後誘導部３０ｄ内を落下し、前誘導部３０ａ上の中央部へ誘導されて前方へ転動し、中球通路３２を通り抜けて前誘導部３０ａの前端縁の中央部からその直下の特定球通路２０内へ落下する。
【００２６】
固定キャラクタ部材３０の下端に水平状に形成された底板３０ｅ上の左右方向の中央部には後ケース２５の後壁板２８の前側で両路壁片２９間に挟まれた特定領域３５が形成されるとともに、底板３０ｅの左右方向の中央部の後部には特定領域３５を通過した入賞球が落入する特定領域出口３６が開口され、この特定領域出口３６の下側には後ケース２５のスイッチ取付け片３８によって把持され、特定領域３５を通過した入賞球を検出して役物連続作動装置を作動させる特定領域通過検出スイッチ４０が設置されている。
【００２７】
固定キャラクタ部材３０の下端前部に形成されて底板３０ｅの前端縁に連接された下壁板３０ｆの左右方向の中央部には特定領域３５に連通されて下球受け部材１９の特定球通路２０の後方に配置された特定領域入口３７が城郭の門を模擬した状態で開設されている。
【００２８】
固定キャラクタ部材３０の下壁板３０ｆは球誘導部材１９の誘導板１９ｂの後方にパチンコ球１個分以上の間隙を隔てて設置され、下壁板３０ｆと誘導板１９ｂとの間には誘導板１９ｂ上から転落した入賞球を入賞装置２外へ排出させる横長状の入賞球排出溝４１が形成されている。
【００２９】
入賞球排出溝４１へ落入した入賞球は遊技盤１の後側に設置された大入賞口検出スイッチ１７によって検出される。
【００３０】
後ケース２５の後方には後ケース２５に連接されて後方へ延出された複数個の丸棒状の取付片５１の後端にビス着された後ベース板５０が乗立状態で設置されている。
【００３１】
後ベース板５０の前面の上下方向中央部付近には左右方向に延出されたガイド突条５０ａが凸設され、後ケース５０の両側縁の上部には左右１対の軸受部５０ｂが形成されている。
【００３２】
後ケース２５の上部の後側と後ベース板５０との間には後壁板２８の後面に突設された上下各１対の突片２８ａによって上下動可能に支持されて後ケース２５に組付けられた上伝動部材５２が設置されている。
【００３３】
上伝動部材５２の上下方向の中央部付近の左右端部には約４５°の傾斜角度で外方へ上傾する左右１対の摺動孔５２ａが貫設され、上伝動部材５２の各コーナ部には突片２８ａが嵌挿された縦長状のガイド孔５２ｂがそれぞれ貫設され、上伝動部材の後端上部の左右方向中央部に突設された突片５２ｃには横長状の摺動溝５２ｄが凹設されている。
【００３４】
後ケース２５内の上部には前後方向に沿って延長された軸部５３ａと、この軸部５３ａの前端に固定されて鯱ほこを模擬した形状を有するキャラクタ片５３ｂとをそれぞれ有する左右１対の可動キャラクタ部材（可動部材）５３が左右方向への移動可能に並設されている。
【００３５】
両可動キャラクタ部材５３の軸部５３ａは固定キャラクタ部材３０の上部に貫設された左右一対の横長状の通し孔と、後壁板２８の上部に貫設された左右１対の通し孔と、上伝動部材５２の両摺動孔５２ａ内にそれぞれ嵌め込まれた円筒状の摺動片５４内とにそれぞれ貫挿されている。
【００３６】
両可動キャラクタ部材５３のキャラクタ片５３ｂは固定キャラクタ部材３０の球通し口３４の両側方で棚板２２の後端縁上にそれぞれ設置されている。
【００３７】
両可動キャラクタ部材５３の軸部５３ａの後端には連動片５５がそれぞれ固定され、この両連動片５５の後部には断面形状がほぼコ形状で後ベース板５０のガイド突条５０ａにスライド可能に係合された係合部５５ａがそれぞれ形成されている。
【００３８】
後ベース板５０の後面上部には上モータ５７が前向き状に取付けられ、この上モータ５７の出力軸５７ａには後ベース板５０の前側に設置された上回動部材５８が固定されている。
【００３９】
上回動部材５８には円盤状の基部５８ａと、この基部５８ａに連接された半円形状の感知片５８ｂと、基部５８ａの前端面の偏心位置に凸設された駆動片５８ｃとが形成され、駆動片５８ｃは上伝動部材５２の摺動溝５２ｄ内に嵌挿されている。
【００４０】
上モータ５７が回転して上回動部材５８が回転駆動されると、上伝動部材５２が上回動部材５８の駆動片５８ｃの偏心回転によって上下方向へ往復駆動されて上下動し、両可動キャラクタ部材５３が上伝動部材５２の両摺動孔５２ａによって案内されて左右方向で相反方向へ往復移動し、両可動キャラクタ部材５３の間隔が拡縮され、両可動キャラクタ部材５３が外方の移動端へ移動したときには棚板２２上で両可動キャラクタ部材５３間での入賞球の停留が可能となり、停留した入賞球は内方への両可動キャラクタ部材５３の移動によって球通し口３４内へ導入される。
【００４１】
後ベース板５０の前面の上端付近には両可動キャラクタ部材５３を両可動キャラクタ部材５３ｂが最も接近してその内端面が球通し口３４の両側縁の前方へ移動した状態で停止させる上定位置検出スイッチ５９が取付けられ、この上定位置検出スイッチ５９には上駆動部材５８の感知片５８ｂが挿脱される検出部５９ａが凹設されている。
【００４２】
後ベース板５０の後面にはスプリング６０ｂで下方へ付勢されたプランジャ６０ａを有する左右１対の第１ソレノイド６０と、この両第１ソレノイド６０間に設置されてスプリング６１ｂで下方へ付勢されたプランジャ６１ａを有する第２ソレノイド６１とがそれぞれ下向き状に取付けられている。
【００４３】
両第１ソレノイド６０のプランジャ６０ａの下端にはこのプランジャ６ａにピン着された基片６２ａと、この基片６２ａの外端に連接されて上方へ延出された延出片６２ｂとを有する昇降部材６２がそれぞれ連結されている。
【００４４】
ベース枠１０と後ベース板５０との間には前端がベース枠１０の軸受部によって回転可能に支持されて後端部が後ベース板５０の軸受部５０ｂによって回転可能に支持された左右１対の横支軸６３が前後方向に沿って横架されている。
【００４５】
両横支軸６３の前端には大入賞口１６を開閉する可動翼片６４がそれぞれ固定され、両横支軸６３の後端には昇降部材６２の上端にピンで連結された連動片６５がそれぞれ固定されている。
【００４６】
両第１ソレノイド６０が励磁されると、両プランジャ６０ａが昇降部材６２とともに上動して、両連動片６５が上方へ回動し、両可動翼片６４がそれぞれ外方へ搖動して両大入賞口１６が開放される。
【００４７】
両第１ソレノイド６０が消磁されると、両プランジャ６０ａがスプリング６０ｂの弾発力によって昇降部材６２とともに下動して両連動片６５が下方へ回動し、両可動翼片６４がそれぞれ内方へ搖動して両大入賞口１６が閉鎖される。
【００４８】
後ケース２５の後壁板２８の下端の左右方向の中央部に横架された支持ピン４３には後壁板２８を貫通して前方へ延出された左右１対の前片４４ａと、後方へ延出された左右１対の後片４４ｂとを有する搖動レバ４４が上下方向への搖動可能に支持されている。
【００４９】
搖動レバ４４の両後片４４ｂにはこの両後片４４ｂの後部に貫設された長孔状の連結孔４４ｃに挿通された連結ピン４６によって回動可能に支持されて搖動レバ４４の後方に設置された中伝動部材４５の前端部が連結されている。
【００５０】
搖動レバ４４の両前片４４ａの前端には両路壁片２９間に設置されて特定入賞口３７をその後側で開閉するシャッタ片４７ａと、このシャッタ片４７ａの両側面の前部に連接された左右１対の支持片４７ｂとを有し、特定領域入口３７に対向して後壁板２８の下部前方に設置された開閉部材４７が、両支持片４７ｂに挿着されて搖動レバ４４の前片４４ａの前端に貫挿された左右１対の連結ピン４７ｃを介して回動可能に連結されている。
【００５１】
中伝動部材４５の後端部は第２ソレノイド６１のプランジャ６１ａの下端にピン６１ｃで連結され、第２ソレノイド６１が励磁されると、プランジャ６１ａが中伝動部材４５とともに上動して搖動レバ４４の後片４４ｂが上方へ搖動しかつ前片４４ａが下方へ搖動し、開閉部材４７が下方へ回動して特定領域入口３７がシャッタ片４７ａによって閉鎖される。
【００５２】
第２ソレノイド６１が消磁されると、プランジャ６１ａがスプリング６１ｂの弾発力によって中伝動部材４５とともに下動して搖動レバ４４の後片４４ｂが下方へ搖動しかつ前片４４ａが上方へ搖動し、開閉部材４７が上方へ回動して特定領域入口３７が開放される。
【００５３】
開閉部材４７の下側には底板３９の若干上方に配設された方形枠状の基片６９ａと、この基片６９ａの前端面の中央部に連接されて前方へ突出された突片６９ｂと、基片６９ａの後端面に突設されてガイド部材６８のガイド孔６８ａ内に横方向へのスライド可能に嵌挿された左右１対の摺動片６９ｃとを有するスライダ６９が水平移動可能に設置されている。
【００５４】
スライダ６９の突片６９ｂの前端には１個のパチンコ球の受け止めが可能な形状を有し、入賞球排出溝４１内で下球受け部材１９の後側に設置されて橋を模擬した可動停留部材７０が取付けられ、この可動停留部材７０の上端面には後下り状に傾斜した中誘導面７０ａと、この中誘導面７０ａの両側縁に連接されて内方へ下傾した左右１対の側誘導面７０ｂとが形成され、中誘導面７０ａの前端縁は下球受け部材１９の球誘導面１９ｅの後端縁に整合されている。
【００５５】
スライダ６９の両摺動片６９ｃにはスライダ６９の後方へ延出された下伝動部材７１が共動可能に結合され、この下伝動部材７１には前端がスライダ６９にビス着されて後方へ延出された基片７１ａと、この基片７１ａの後端に連接されて垂立された後片７１ｂと、この後片７１ｂの後面に上下方向に沿って突設された突条７１ｃとが形成され、この突条７１ｃには後方開放の縦長状の摺動溝７２が凹設されている。
【００５６】
後ベース板５０の後方には第２ソレノイド６１にシール板９１を介して結合された基板取付け板７４が垂直状に設置され、この基板取付け板７４の後面下端には下モータ７５が前向き状に取付けられるとともに、基板取付け板７４には入賞装置２の内外の電気配線を接続する回路基板９０が垂直状に取付けられている。
【００５７】
下モータ７５の出力軸７５ａには円盤状の基部７６ａと、この基部７６ａの外周面にその半周面にわたって連接された半円環状の感知片７６ｂと、基部７６ａの前面の偏心位置に凸設された駆動片７６ｃとを有する下回動部材７６が固定され、この下回動部材７６の駆動片７６ｃは下伝動部材７１の摺動溝７２内に嵌挿されている。
【００５８】
下モータ７５が回転して下回動部材７６が回転駆動されると、下伝動部材７１が駆動片７６ｃによって押動されてスライダ６９とともに左右方向へ往復移動し、可動停留部材７０が入賞球排出溝４１内で特定球通路２０から転落した入賞球の受け入れが可能な位置で特定球通路２０と特定領域入口３７とを橋渡しする橋渡し位置を通ってその両側へ往復移動する。
【００５９】
可動停留部材７０が橋渡し位置へ移行した時点で入賞球が特定球通路２０へ導入されると、その入賞球が特定球通路２０から可動停留部材７０上へ移載される。このとき、特定領域入口３７が開閉部材４７によって閉鎖されている場合には可動停留部材７０上に１個の入賞球が停留した状態で可動停留部材７０が往復移動し、特定領域入口３７が開放された時点で可動停留部材７０上の入賞球が特定領域入口３７を通り抜けて特定領域３５へ導入される。
【００６０】
取付け板７４の前面下端には可動停留部材７０がその移動ストロークの中間位置で静止するように下モータ７５を停止させる検出信号を発信する下定位置検出スイッチ７７が下回動部材７６に対向して取付けられ、この下定位置検出スイッチ７７には下回動部材７６の感知片７６ｂが挿脱される検出溝７７ａが形成されている。
【００６１】
球誘導部材１９の誘導突片１９ｄの下側には前後方向へ後下り状態で配列された４つの装飾ＬＥＤ８１が設置されている。
【００６２】
遊技盤１の左右端部に取付けられた左右１対のランプケース８内と、各入賞始動装置５，６内と、左右固定式役物４内にはそれぞれＡ表示灯８２が設置され、両ランプケース８内には上下各１対のＢ表示灯８３が設置され、入賞装置２内の上部および下端部には左右各１対のＣ表示灯８４が設置され、左右チューリップ式役物７内および遊技盤面１ａ端部に組付けられた右装飾プレート８８Ｂ内にはそれぞれＤ表示灯８５が設置され、入賞装置２内の中央部付近には左右２対のＥ表示灯８６が設置され、左装飾プレート８８Ａ内には賞品球払出し兼賞品球切れ表示灯８７が設置されている。
【００６３】
収納部材１８内には下球受け部材１９によって覆蓋されたＬＥＤ基板７８が装入され、このＬＥＤ基板７８の前面の左右部には各５個の大入賞口入賞数表示ＬＥＤ７９が設置され、ＬＥＤ基板７８の前面の中央部には左右１対の図柄表示体（表示ＬＥＤ）８０が設置されている。
【００６４】
両図柄表示体８０はパチンコ球が大入賞口１６へ入賞して入賞球が大入賞口入賞検出スイッチ１７によって検出されたときに００，２２，３３，４４，５５，６６，７７，８８の８図柄を始めに１図柄０．０３２秒、１周期０．２５６秒の移行速度で０．２５６秒間高速変動表示し、続いて、８図柄を１図柄０．１２８秒，１周期１．０２４秒の移行速度で０．２５６秒間低速変動表示してから、図柄の変動表示を停止して図柄を特定し、両図柄表示体８０が図柄の変動表示を停止した時点で両図柄表示体８０が特定した図柄が判定される。
【００６５】
表示灯および表示ＬＥＤの点灯態様について説明すると、パチンコ機の電源投入時にはＣ表示灯８４は２．０４８秒間隔で点減し、両図柄表示体８０は「００」を表示し、大入賞口入賞数表示ＬＥＤ７９は左上から左下右下から右上の順に移動点減し、装飾ＬＥＤ８１は前から順に移動点滅する。賞品球払出し兼賞品球切れ表示灯８７は賞品球がない場合および賞品球の払出し時に点灯する。
【００６６】
パチンコ球が各入賞始動口５ａ，６ａに入賞すると、大入賞口１６の閉鎖後３．５秒間はＡ表示灯８２およびＣ表示灯８４が０．２５６秒間隔で点滅し、Ｄ表示灯８５がＡ表示灯８２と交互に点滅し、両図柄表示体８０が８図柄を変動表示して図柄の変動表示を停止し、大入賞口入賞数表示ＬＥＤ７９および装飾ＬＥＤ８１が移動点滅する。
【００６７】
入賞球が特定領域３５を通過してから４秒間はＡ表示灯８２およびＣ表示灯８４と、Ｂ，Ｄ，Ｅ表示灯８３，８５，８６および当たり表示灯（図示しない）とが０．１２８秒間隔で交互に点滅し、両図柄表示体８０が「−−」を上方から下方へ移動点滅してから、０．５秒間大入賞口１６の開閉回数を点灯表示し、大入賞口入賞数表示ＬＥＤ７９が移動点滅する。
【００６８】
大入賞口１６の１８回連続開閉時および連続開閉終了後３．５秒間はＡ，Ｃ表示灯８２，８４と、Ｂ，Ｄ，Ｅ表示灯８３，８５，８６および当たり表示灯とが０．５１２秒間隔で交互に点滅し、両図柄表示体８０が０．５１２秒の間隔で大入賞口１６の開閉回数を点滅表示し、大入賞口入賞数表示ＬＥＤ７９が大入賞口入賞数を点灯表示する。
【００６９】
不正行為が検出されてパチンコ機の防犯装置が作動したときには両図柄表示体８０が不正対象に対応して「Ｅ１」，「Ｅ２」を点灯表示し、また、スピーカが異常音を出力する。
【００７０】
表１は表示灯および表示ＬＥＤの点灯態様を一覧表にしたものである。
【表１】
2004167289.tif 000003
【００７１】
次に、ゲーム態様について説明すると、パチンコ球の電源投入時には上モータ５７および下モータ５が回転して両可動キャラクタ部材５３が０〜３秒後に内方の移動端で１．９秒停止して左右方向へ３秒間に１回往復移動する往復移動動作を反復し、可動停留部材７０が０〜３秒後に左右方向へ３秒間に１回往復移動する往復移動動作を反復し、特定領域入口３７は開放状態で保持され、両図柄表示体８０の表示図柄は「００」となっている。
【００７２】
遊技盤面１ａへ打出されたパチンコ球が大入賞口１６へ入賞すると１０個の賞品球が払い出され、パチンコ球が天入賞口１３、左右入賞口４ａ、左右下入賞口７ａ、左右入賞始動口５ａ、中入賞始動口６ａに入賞すると、６個の賞品球が払い出される。
【００７３】
パチンコ球が左右入賞始動口５ａに入賞すると、大入賞口１６が１．５秒後に０．４秒間１回開放される。
【００７４】
パチンコ球が中入賞始動口６ａに入賞すると、大入賞口１６が１．５秒後に０．４秒間０．５秒の間隔をおいて２回開放される。
【００７５】
各入賞始動口５ａ，６ａへの入賞によってパチンコ球が大入賞口１６へ入賞すると、両図柄表示体８０が８図柄の変動表示を開始し、０．５１２秒後に図柄の変動表示を停止する。
【００７６】
両図柄表示体８０が図柄の変動表示を停止して特定した図柄が「７７」となった場合には０〜３秒後に両可動キャラクタ部材５３の往復移動動作が３秒間に１回往復移動する往復移動動作に切換えられ、可動停留部材７０はその移動ストロークの中間点の橋渡し位置で静止する。
【００７７】
両図柄表示体８０が特定した図柄が「７７」以外となった場合には両可動キャラクタ部材５３および可動停留部材７０はそれぞれ電源投入時の通常動作を継続する。
【００７８】
両可動キャラクタ部材５３が往復移動動作を反復し、可動停留部材７０が橋渡し位置で静止しているときに両図柄表示体８０が図柄の変動表示の停止時に特定した図柄が「７７」以外となった場合には両可動キャラクタ部材５３の動作が内方の移動端で１．９秒停止して３秒間に１回往復移動する通常の往復移動動作に切換えられ、可動停留部材７０が往復移動動作を再開する。但し、このとき両図柄表示体８０が特定した図柄が「７７」となった場合は両可動キャラクタ部材５３は同じ動作を反復し、可動停留部材７０は静止したままの状態で保持される。
【００７９】
大入賞口１６の開放中に入賞球が特定領域３５を通過したときには役物連続作動装置が作動し、大入賞口１６が４秒後に２６秒間にわたって１８回連続的に開閉される。この１８回連続開閉の回数は初回を含めて最高１６回まで許容される。
【００８０】
この大入賞口１６の１８回連続開閉に際し、１８回のうちの１１回目までは大入賞口１６の各回の開放時間および閉鎖時がそれぞれ０．７４８秒となるように設置され、１２回目から１８回目までは大入賞口１６の各回の開放時間が０．５秒で閉鎖時間が１秒となるように設定されている。
【００８１】
入賞球が特定領域３５を通過すると、両可動キャラクタ部材５３は内方の移動端へ移動した時点で一時的に静止し、大入賞口１６が１回目に開放された時点で、外方の移動端で２秒間静止して３秒間に１回往復移動する往復移動動作を開始して大入賞口１６が１８回目に閉鎖されるまでその動作を反復し、大入賞口の１８回連続開閉が終了して３．４秒後に電源投入時の通常動作に切換えられる。
【００８２】
入賞球が特定領域３５を通過すると、可動停留部材７０は橋渡し位置まで移動して静止し、大入賞口１６が１０回目に閉鎖された時点若しくは特定領域３５の通過球数が４個カウントされた時点で通常の動作に切換えられ、大入賞口１６が１８回目に閉鎖されてから橋渡し位置へ移動して一時的に静止し、大入賞口１６の１８回目の閉鎖時から３．４秒後に通常動作を再開する。
【００８３】
入賞球が特定領域３５を通過すると、特定領域入口３７は大入賞口１６が１回目に開放された時点で開閉部材４７によって閉鎖され、大入賞口１６が１０回目に閉鎖されてから、１秒後、若しくは特定領域３５の通過球数が４個カウントされてから１秒後に開放され、大入賞口１６の１８回連続開閉終了後も引き続いて開放される。
【００８４】
両図柄表示体８０は大入賞口１６の１８回連続開閉終了後再び「００」を表示する。
【００８５】
パチンコ球が大入賞口１６に１０個入賞したときにはその時点で大入賞口１６が閉鎖され、大入賞口１６が開閉されている間にパチンコ球が左右入賞始動口５ａ、中入賞始動口６ａに入賞したときには規定数の賞品球が払い出されるだけで大入賞口１６は連続開閉終了後に引続き開閉されない。
【００８６】
続いて、上記した構成をもつ実施例の作用と効果を説明する。本例では大入賞口１６と特定領域３５とを備えた入賞装置２内の上部には内外方向へ移動制御され、入賞装置２内の上部に形成された上球通路２３を通過する入賞球の転動態様を変化させる可動キャラクタ部材５３を設置し、入賞装置２内の下部には特定領域入口３７とその先方に形成された特定球通路２０との間に左右方向に沿って形成された入賞球排出溝４１内に装入され、特定領域入口３７と特定球通路２３とを橋渡しする橋渡し位置で静止し若しくは前記橋渡し位置を通過するように左右方向へ移動制御される可動停留部材７０を設置し、入賞装置２の適所には可動キャラクタ部材５３および可動停留部材７０の作動態様を切換える図柄を含む図柄群を変動表示して図柄を特定する図柄表示体８０とを組込んである。
【００８７】
このため、可動キャラクタ部材５３の動きによって入賞球が特定球通路２０へ導入され易い状況と導入され難い状況とを出現させ、可動キャラクタ部材５３の動きを切換えることによって入賞球が特定球通路２０に導入される難易度を変更することができる。
【００８８】
また、可動停留部材７０および開閉部材４７の動きによって特定領域３５への入賞球の導入が可能な状況と不能な状況とを出現させ、可動停留部材７０の動きを切換えることによって入賞球が特定領域３５を通過する難易度を変更することができる。
【００８９】
さらに、可動キャラクタ部材５３の動きと、可動停留部材７０の動きと、開閉部材４７の動きとの組合わせによって入賞装置２内での入賞球の通過態様を相乗的に多様化させることができる。
【００９０】
従って、入賞装置２に対して新規な趣向を付与して遊技者の興趣を引起すことができる。
【図面の簡単な説明】
【００９１】
【図１】本発明の１実施例を示す遊技盤の正面図である。
【図２】同じく、遊技盤の背面図である。
【図３】入賞装置の正面図である。
【図４】入賞装置の側断面図である。
【図５】可動キャラクタ部材駆動機構の分解斜視図である。
【図６】可動停留部材駆動機構の分解斜視図である。
【図７】可動翼片駆動機構の背面図である。
【図８】開閉部材駆動機構付近の縦断面図である。
【図９】可動停留部材による球停留動作を説明する斜視図である。
【図１０】可動キャラクタ部材の往復動作を順に示す正面図である。
【図１１】可動停留部材の往復動作を順に示す正面図である。
【図１２】遊技盤の電気配線のブロック図である。
【図１３】入賞始動口入賞時のブロック図である。
【図１４】可動キャラクタ部材および可動停留部材の電源投入時のタイムチャートである。
【図１５】可動キャラクタ部材および可動停留部材の図柄判定時のタイムチャートである。
【図１６】図柄表示体の図柄表示のタイムチャートである。
【図１７】入賞球が特定領域を通過したときのタイムチャートである。
【図１８】特定領域を通過した入賞球が１０個カウントされたときのタイムチャートである。
【図１９】入賞球が再度特定領域を通過したときのタイムチャートである。
【符号の説明】
【００９２】
１：遊技盤
２：入賞装置
１６：大入賞口
２０：特定球通路
２３：上球通路
３５：特定領域
４１：入賞球排出溝
５３：可動キャラクタ部材
７０：可動停留部材
８０：図柄表示体
【図１】
2004167289.tif 000004
【図２】
2004167289.tif 000005
【図３】
2004167289.tif 000006
【図４】
2004167289.tif 000007
【図５】
2004167289.tif 000008
【図６】
2004167289.tif 000009
【図７】
2004167289.tif 000010
【図８】
2004167289.tif 000011
【図９】
2004167289.tif 000012
【図１０】
2004167289.tif 000013
【図１１】
2004167289.tif 000014
【図１２】
2004167289.tif 000015
【図１３】
2004167289.tif 000016
【図１４】
2004167289.tif 000017
【図１５】
2004167289.tif 000018
【図１６】
2004167289.tif 000019
【図１７】
2004167289.tif 000020
【図１８】
2004167289.tif 000021
【図１９】
2004167289.tif 000022
【手続補正書】
【提出日】平成16年4月19日(2004.4.19)
【手続補正１】
【補正対象書類名】特許請求の範囲
【補正対象項目名】請求項１
【補正方法】変更
【補正の内容】
【請求項１】
開閉可能な大入賞口と、その大入賞口に入った入賞球が通過すると遊技者に有利な遊技状態とする特定領域とを備えた入賞装置を有するパチンコ機において、
左右方向にパチンコ球複数個分以上の幅を有し、入賞球を受け止める誘導板と、
パチンコ球１個分以上の幅を有して左右方向に長尺に形成されており、通常入賞領域を構成する溝と、
誘導板とこの溝を隔てて設置されている特定領域と、
前記溝内に配置され、溝の長尺方向に往復運動し、誘導板から特定領域へ入賞球を橋渡しする可動部材とを有していることを特徴とするパチンコ機。
【手続補正２】
【補正対象書類名】明細書
【補正対象項目名】０００３
【補正方法】変更
【補正の内容】
【０００３】
本発明はパチンコ機において、入賞球を特定領域へ導入する難易度の設定に関して新規な趣向を有する入賞装置を提供することを課題とするものである。
【手続補正３】
【補正対象書類名】明細書
【補正対象項目名】０００４
【補正方法】変更
【補正の内容】
【０００４】
本発明は、開閉可能な大入賞口とその大入賞口に入った入賞球が通過すると遊技者に有利な遊技状態とする特定領域とを備えた入賞装置を有するパチンコ機において、左右方向にパチンコ球複数個分以上の幅を有し、入賞球を受け止める誘導板と、パチンコ球１個分以上の幅を有して左右方向に長尺に形成されており、通常入賞領域を構成する溝と、誘導板とこの溝を隔てて設置されている特定領域と、その溝内に配置され、溝の長尺方向に往復運動し、誘導板から特定領域へ入賞球を橋渡しする可動部材とを有していることを特徴としている。
【手続補正４】
【補正対象書類名】明細書
【補正対象項目名】０００５
【補正方法】変更
【補正の内容】
【０００５】
（作用）本発明では、入賞球を受け止めて誘導する誘導板と特定領域との間にパチンコ球１個分以上の幅を有して左右方向に長尺な溝が形成されている。この溝は通常入賞領域を構成するものである。その溝内に可動部材が配置されており、可動部材は誘導板から特定領域へ入賞球を橋渡しする機能を有している。可動部材の動きによって、入賞球が特定領域に導入される際の難易度が変化する。
【手続補正５】
【補正対象書類名】明細書
【補正対象項目名】０００６
【補正方法】変更
【補正の内容】
【０００６】
本発明によれば、入賞球を受け止める誘導板（実施例の誘導板１７ｂ）と特定領域（実施例の特定領域３５）との間に形成された溝（実施例の入賞球排出溝４１）内に可動部材（実施例の可動停留部材７０）が配置されており、入賞球は可動部材に橋渡しされると特定領域に導入され、可動部材に橋渡しされないと溝内に落下して通常入賞領域に導入される。遊技者は、入賞球が可動部材によって誘導板から特定領域へ橋渡しされるか否かを楽しむことができるとともに、入賞球が可動部材によって誘導板から特定領域へ橋渡しされる様子を視覚的にも楽しむことができる。この構成によれば、可動部材の動きによって、誘導板に受け止められた入賞球が特定領域に導入される難易度を変化させることができる。従って、入賞装置に対して、可動部材によって入賞球を誘導板から特定領域へ橋渡しするという新規な趣向を付与して遊技者の興趣を引起すことができる。